(57)【特許請求の範囲】
【請求項１】
管楽器の屈曲部を有する管体を清掃するための管体清掃用具であって、
第１および第２のブラシ軸の間に、ブラシ毛部が設けられているブラシ部と、
前記第１のブラシ軸の先端側に取り付けられた第１のガイドワイヤと、
前記第２のブラシ軸の先端側に取り付けられた第２のガイドワイヤと、
を備え、
前記第１のガイドワイヤは、弾性を有するとともに、曲げ剛性が前記第１および第２のブラシ軸の曲げ剛性よりも低く設定されている、
管体清掃用具。
【請求項２】
前記ブラシ部には、複数のブラシ毛部が分離して設けられている、請求項１記載の管体清掃用具。
【請求項３】
請求項１または２記載の管体清掃用具であって、さらに、
前記第１のガイドワイヤの先端側に取り付けられ、先端部が滑らかな凸曲面となっているガイドチップを備え、
前記ガイドチップは、前記ガイドチップ自体の中心軸方向に長くなっている、
管体清掃用具。
【請求項４】
請求項１ないし３のいずれか記載の管体清掃用具であって、
前記第１および第２のブラシ軸は、金属製の芯線であるブラシ芯と、前記ブラシ芯を被覆する樹脂チューブを有しており、
前記第１のブラシ軸と前記第１のガイドワイヤとは、前記ブラシ芯と前記第１のガイドワイヤとを金属製のスリーブ内において突き合わせ、前記スリーブをかしめることにより接合されている、
管体清掃用具。
【発明の詳細な説明】
【技術分野】
【０００１】
この発明は、管楽器の管体を清掃するための管体清掃用具に関し、特に、屈曲部を有する管体を清掃するための管体清掃用具に関する。
【背景技術】
【０００２】
トランペットやホルンなどの金管楽器においては、演奏者による保持を可能にしつつ、管長を十分に長く取るため、屈曲した管体が使用される。このような屈曲した管体（曲管）を清掃することは必ずしも容易ではないが、清掃を行わないと、管体内部に汚れが蓄積して楽器の音響特性を変化させ、場合によっては腐食が生じて楽器が損傷する虞がある。また、同様に、木管楽器においても管体内部を清掃することは重要である。
【０００３】
このように、管楽器の内部を清掃することは極めて重要であるため、管楽器の内部を清掃するための浄化装置（清掃用具）が種々提案されている。例えば、特許文献１では、可撓にまたは圧縮可能に構成された浄化体に可撓ひもを取り付け、曲線の多い管楽器を通すことが提案されている。そして、楽器の湾曲に可撓ひもを追従させるため、可撓ひもの自由端に木製または鉛製の穴通し体を持たせ、使用者が楽器を適当に回すことにより、可撓ひもを楽器の湾曲に追従させることが記載されている。
【先行技術文献】
【特許文献】
【０００４】
【特許文献１】特開平６−３２４６７３号公報
【発明の概要】
【発明が解決しようとする課題】
【０００５】
しかしながら、楽器を回して可撓ひもを楽器の湾曲に追従させること自体が必ずしも容易ではなく、また、楽器を回すことによって使用者が誤って楽器を損傷する虞もある。さらに、特許文献１において提案されている浄化体は、スポンジゴム、多泡性ゴムまたは発泡プラスチックであり、これらの浄化体によって管体内部の汚れを十分に除去することは困難である。
【０００６】
本発明は、上述した従来の課題を解決するためになされたものであり、管楽器の屈曲部を有する管体内部の汚れを十分に除去することを可能にする管体清掃用具を提供することを目的とする。
【課題を解決するための手段】
【０００７】
上記課題の少なくとも一部を達成するために、本発明の管体清掃用具は、管楽器の屈曲部を有する管体を清掃するための管体清掃用具であって、第１および第２のブラシ軸の間に、ブラシ毛部が設けられているブラシ部と、前記第１のブラシ軸の先端側に取り付けられた第１のガイドワイヤと、前記第２のブラシ軸の先端側に取り付けられた第２のガイドワイヤと、を備え、前記第１のガイドワイヤは、弾性を有するとともに、曲げ剛性が前記第１および第２のブラシ軸よりも低く設定されていることを特徴とする。
【０００８】
この構成では、第１のブラシ軸の先端側に曲げ剛性が第１および第２のブラシ軸よりも低く設定された第１のガイドワイヤを取り付けている。そのため、ブラシ軸の曲げ剛性が高く、ブラシ軸を管体の屈曲部に沿って容易に曲げることが容易でない場合においても、第１のガイドワイヤを管体に挿入した際に、第１のガイドワイヤは屈曲部に沿って容易に曲がる。また、第１のガイドワイヤは、弾性を有しているため、第１のガイドワイヤ自体が管体内部で折れ曲がる、いわゆる腰折れが抑制される。そのため、より容易に、屈曲部を有する管体に第１のガイドワイヤを通すことができる。このように、管体に第１のガイドワイヤを通すことにより、ブラシ毛部を管体内部に導入することができ、また、第１と第２のガイドワイヤを交互に引き出すことにより、ブラシ毛部により管体内部を擦ることができるので、管体内部の汚れを十分に除去することができる。
【０００９】
前記ブラシ部には、複数のブラシ毛部が分離して設けられているものとしても良い。一般的に、ブラシ毛部はブラシ軸よりも曲げ剛性が高く、ブラシ毛部が長くなるとブラシ部が曲がりにくくなる。そのため、特に屈曲部において管体内部の全体にブラシ毛部を適切に接触させることが困難となるため、屈曲部の汚れが十分に除去できない虞が生じる。一方、この構成によれば、複数のブラシ毛部を分離して設けることにより、ブラシ部自体が曲がりやすくなるため、屈曲部においてもより容易に管体内部の全体にブラシ毛部を適切に接触させて、屈曲部の汚れをより確実に除去することが可能となる。
【００１０】
前記管体清掃用具は、さらに、前記第１のガイドワイヤの先端側に取り付けられ、先端部が滑らかな凸曲面となっているガイドチップを備え、前記ガイドチップは、前記ガイドチップ自体の中心軸方向に長くなっているものとしても良い。先端部が滑らかな凸曲面となっており、中心軸方向に長くなっているガイドチップは、屈曲部において管壁に接触した際に、その中心軸方向が管体の屈曲方向に変化する。これにより、第１のガイドワイヤがガイドチップにより管体の屈曲方向に誘導されるので、管体内部に第１のガイドワイヤを通すのがより容易となる。
【００１１】
前記第１および第２のブラシ軸は、金属製の芯線であるブラシ芯と、前記ブラシ芯を被覆する樹脂チューブを有しており、前記第１のブラシ軸と前記第１のガイドワイヤとは、前記ブラシ芯と前記第１のガイドワイヤとを金属製のスリーブ内において突き合わせ、前記スリーブをかしめることにより接合されているものとしても良い。ブラシ芯と第１のガイドワイヤとを金属製のスリーブ内において突き合わせ、スリーブをかしめることにより第１のブラシ軸と第１のガイドワイヤとを接合することにより、第１のブラシ軸と第１のガイドワイヤとを十分に高い強度で接合して管体清掃用具の耐久性を高めることが可能となるとともに、接合部の外径の拡大を抑制して、管体内部に接合部が引っかかることを抑制することができる。
【００１２】
なお、本発明は、種々の態様で実現することが可能である。例えば、管体清掃用具、その管体清掃用具を用いた管体清掃方法、その管体清掃方法を適用した管楽器のメンテナンス方法等の態様で実現することができる。
【図面の簡単な説明】
【００１３】
【図１】本発明の一実施形態としての曲管清掃用具の構成を示す説明図。
【図２】曲管清掃用具により曲管を清掃する様子を示す説明図。
【図３】曲管清掃用具により曲管を清掃する様子を示す説明図。
【発明を実施するための形態】
【００１４】
Ａ．曲管清掃用具の構成：
図１は、本発明の一実施形態としての金管楽器の曲管を清掃するための清掃用具（曲管清掃用具）１の構成を示す説明図である。図１（ａ）は、曲管清掃用具１の全体を示し、図１（ｂ）および図１（ｃ）は、それぞれ、図１（ａ）において二点鎖線で囲んだ領域Ａおよび領域Ｂを拡大した部分断面を示している。図１（ａ）に示す様に、本実施形態における曲管清掃用具１は、ブラシ部１０と、ブラシ部１０の両端に設けられたガイド部２０とを有している。ブラシ部１０とガイド部２０とは、接合部３０により接合されている。なお、図１に示す様に、本実施形態の曲管清掃用具１は、長さ方向の中央の位置（中央位置）に対して対称、すなわち、図１（ａ）の紙面において左右対称となっている。そのため、以下では、対称な部分については、その一方についてのみ説明する。また、以下では、各構成要素において、曲管清掃用具１における中央位置から遠い側を先端側とも呼び、中央位置に近い側を後端側とも呼ぶ。
【００１５】
ブラシ部１０は、ナイロン等の毛材（ブラシ材）が植え付けられた３つのブラシ毛部１１，１２と、ブラシ毛部１１，１２の間に設けられた中間軸１３と、ブラシ部１０の両端部に設けられた端部軸１４とを有している。ブラシ毛部１１，１２は、捻りブラシと呼ばれるブラシと同様に、金属の芯線にブラシ材を挟み、芯線を捻ることにより形成されている。ブラシ毛部１１，１２の外径は、清掃の対象となる曲管の内径に合わせて適宜設定される。中間軸１３および端部軸１４（以下、併せて「ブラシ軸」とも呼ぶ）は、捻られた状態の芯線（ブラシ芯）１３ａ，１４ａを樹脂チューブ１３ｂ，１４ｂで覆うことにより形成されている。なお、樹脂チューブ１３ｂ，１４ｂを省略することも可能である。但し、金属製のブラシ芯１３ａ，１４ａの露出を避け、ブラシ芯１３ａ，１４ａが曲管の内面に接触して曲管に損傷を与えることを抑制することができる点で、ブラシ芯１３ａ，１４ａを樹脂チューブ１３ｂ、１４ｂで覆うのが好ましい。
【００１６】
ガイド部２０は、ブラシ軸１３，１４よりも曲げ剛性の低いナイロンの単線からなるガイドワイヤ２１と、樹脂等からなるガイドチップ２２とを有している。ガイドワイヤ２１は、曲管に挿入した際に、曲管の屈曲部に沿って容易に曲がるとともに、弾性を有するように、材質や太さが調整される。ここで、弾性を有するとは、ガイドワイヤ２１を曲管内に挿入した際に、ガイドワイヤ２１自体が折れ曲がる（腰折れする）ことが抑制される程度の曲げ剛性を有していることを言う。本実施形態のように、ガイドワイヤ２１としてナイロンの単線を用いた場合、太さ（直径）は、１〜２ｍｍの範囲とするのが好ましい。また、本実施形態では、ガイドワイヤ２１としてナイロンの単線を用いているが、材質や構造の異なるガイドワイヤを用いることができる。ガイドワイヤとして、例えば、柔軟性の高い種々の樹脂（ポリフッ化ビニリデン等）の単線や、ブラシ軸１３，１４のように、金属の芯線を樹脂で被覆したものを用いることも可能である。一般的に、ガイドワイヤの材質、構造および太さは、曲げ剛性が太さ１〜２ｍｍのナイロンの単線と同程度となるように設定される。具体的には、典型的なナイロンのヤング率が２ＧＰａ程度であることから、曲げ剛性が１×１０−４〜１．５×１０−３Ｐａ・ｍ４程度となるようにすれば良い。このようにすれば、ガイドワイヤが屈曲部に沿って容易に曲がり、かつ、ガイドワイヤの曲管内部での腰折れを抑制することができる。
【００１７】
図１（ｂ）に示すように、ガイドワイヤ２１の先端には、球状部２１ａが設けられている。ガイドチップ２２は、図１（ｂ）の一点鎖線と重なるガイドチップ２２の中心軸を軸として回転対称に形成された部材であり、先端部が滑らかな凸曲面となっているとともに、ガイドチップ２２の中心軸方向におけるガイドチップ２２の長さが、当該中心軸と直交する断面の最大径（最大幅）よりも長くなっている。なお、ガイドチップは必ずしも中心軸に対して回転対称である必要はなく、例えば、中心軸と直交する断面の外縁が楕円形状となるようにしても良い。この場合においても、ガイドチップの中心軸方向におけるガイドチップの長さは、当該中心軸と直交する断面の最大幅より長くされる。なお、これらのように、ガイドチップの中心軸方向におけるガイドチップの長さが、当該中心軸と直交する断面の最大幅より長くなっていることを、ガイドチップがガイドチップ自体の中心軸方向に長くなっているとも謂う。ガイドチップ２２の後端側には、ガイドワイヤ２１の球状部２１ａが嵌め込まれる軸受部２２ａと、軸受部２２ａにガイドワイヤ２１の球状部２１ａを挿入するための挿入穴２２ｂが設けられている。ガイドチップ２２の後端側において開口している挿入穴２２ｂは、内径が先端側に向かって小さくなるように形成されている。これにより、ガイドワイヤ２１の球状部２１ａがガイドチップ２２から抜けることが抑制されるとともに、ガイドチップ２２の中心軸方向が、ガイドワイヤ２１の軸方向に対して斜めの方向を向く（ガイドチップ２２がガイドワイヤ２１に対して傾斜する）ことが可能となっている。なお、ガイドチップ２２がガイドワイヤ２１に対して傾斜することがないように、ガイドチップ２２をガイドワイヤ２１に固定することも可能である。但し、後述するように、ガイドチップ２２が屈曲部において曲管の管壁に接触した際に、屈曲部の屈曲方向にガイドチップ２２の向きがより確実に変わり、屈曲部にガイドチップ２２を通すことがより容易となる点で、ガイドチップ２２がガイドワイヤ２１に対して傾斜し得るようにするのが好ましい。
【００１８】
上述のように、ブラシ部１０とガイド部２０とは、接合部３０において互いに接合されている。接合部３０では、ブラシ部１０の端部軸１４を構成するブラシ芯１４ａと、ガイド部２０のガイドワイヤ２１とを金属製のスリーブ３１の内部において突き合わせ、スリーブ３１を外部からかしめている。これにより、ブラシ芯１４ａとガイドワイヤ２１とは、接合される。また、スリーブ３１の外周全体は、熱収縮チューブ等から形成される樹脂カバー３２により覆われている。このように、スリーブ３１全体を樹脂カバー３２で覆うことにより、金属製のスリーブ３１の露出を避け、曲管に損傷を与えることを抑制することができる。また、樹脂カバー３２の外周に現れる段差は、スリーブ３１の外周と、ガイドワイヤ２１や端部軸１４のチューブ１４ｂとの間の段差よりも滑らかになるため、曲管に設けられた開口部等への接合部３０の引っかかりが抑制されるため、曲管の清掃をより容易に行うことができるようになる。
【００１９】
Ｂ．曲管清掃用具による曲管の清掃：
図２および図３は、曲管清掃用具１を用いて曲管ＢＴを清掃する様子を示す説明図である。なお、図２および図３では、図示の便宜上、曲管清掃用具１において、中間軸１３をガイドワイヤ２１と同様に描くとともに、端部軸１４および接合部３０の図示を省略している。また、図２および図３では、本実施形態の曲管清掃用具１による清掃の対象となる曲管ＢＴの一例としてトランペットの第３抜差管を示しているが、曲管清掃用具１による清掃は、種々の金管楽器における抜差管等、屈曲部の曲げ半径が小さくあるいは複数の屈曲部を有する種々の曲管を対象として行うことができる。
【００２０】
図２（ａ）に示す様に、曲管清掃用具１を曲管ＢＴの一方の開口部ＥＬから挿入していくと、先端のガイドチップ２２が、曲管ＢＴの屈曲部（Ｕ字部）ＲＵに到達する。上述のように、ガイドチップ２２は、先端部が滑らかな凸曲面となっており、ガイドチップ２２自体の中心軸方向に長くなっているとともに、ガイドワイヤ２１に対して傾斜し得るように構成されている。そのため、屈曲部ＲＵに到達し、曲管ＢＴの管壁に接触したガイドチップ２２は、屈曲部ＲＵの屈曲方向に向きを変える。このようにして、ガイドチップ２２が屈曲部ＲＵの屈曲方向に向きを変えることにより、さらにガイドワイヤ２１を押し込んでいくと、ガイドチップ２２は、ウォータキイホールＨＷ等に引っかかることなく屈曲部ＲＵを通過するとともに、屈曲部ＲＵの屈曲方向にガイドワイヤ２１を誘導する。このようにして、ガイドチップ２２およびガイドワイヤ２１は、他方の開口部（図２では、トリガＴＧの開口部）ＥＵから曲管ＢＴの外に出てくる。開口部ＥＵから出てきたガイドチップ２２およびガイドワイヤ２１を引き出すことにより、図２（ｂ）に示す様に、ブラシ毛部１１，１２を曲管ＢＴの内部に導入することができる。
【００２１】
ブラシ毛部１１，１２が曲管ＢＴの内部に導入された後、さらに、ガイドワイヤ２１を引き出すと、ブラシ毛部１１，１２は、曲管ＢＴの屈曲部ＲＵに到達する（図３（ａ））。ブラシ毛部１１，１２が曲管ＢＴの屈曲部ＲＵに到達した後、さらに、トリガＴＧ側の開口部ＥＵからガイドワイヤ２１を引き出すと、トリガＴＧ側の開口部ＥＵの近くまでブラシ毛部１１，１２を移動させることができる（図３（ｂ））。また、この状態から、トリガＴＧと反対側の開口部ＥＬから出ているガイドワイヤ２１を引き出すと、ブラシ毛部１１，１２は、屈曲部ＲＵを通過して開口部ＥＬの近くまで移動する。このように、ブラシ部１０の両端に設けられたガイドワイヤ２１を交互に引き出すことにより、曲管ＢＴの内部全体をブラシ毛部１１，１２により擦ることができるので、曲管ＢＴの内部をより確実に清掃することができる。また、図３（ａ）に示す様にブラシ毛部１１，１２を曲管ＢＴの屈曲部ＲＵの近傍に位置させた状態で、ガイドワイヤ２１を往復動させることにより、屈曲部ＲＵを念入りに清掃することも可能である。
【００２２】
このように、本実施形態の曲管清掃用具１によれば、ブラシ部１０の両端に中間軸１３および端部軸１４よりも曲げ剛性が低く、弾性を有するガイドワイヤ２１を取り付けることにより、屈曲部ＲＵの曲げ半径が小さい曲管ＢＴ等にガイドワイヤ２１を通すことがより容易となる。そのため、ガイドワイヤ２１を用いて曲管ＢＴに挿入されたブラシ部１０を往復動させ、曲管ＲＵ内部をブラシ毛部１１，１２で擦ることが容易に行えるので、屈曲部ＲＵの曲げ半径が小さい場合であっても、曲管ＢＴの内部をより容易に清掃することができる。また、本実施形態の曲管清掃用具１では、ガイドワイヤ２１の先端に、先端部が滑らかな凸曲面となっており、中心軸方向に長くなっているとともに、ガイドワイヤ２１に対して傾斜し得るガイドチップ２２を設けている。そのため、曲管清掃用具１を曲管ＢＴに挿入した際に、曲管ＢＴの屈曲部ＲＵにおいてガイドチップ２２が屈曲部ＲＵの屈曲方向に向くため、ウォータキイホールＨＷ等の開口部が存在する場合においても、曲管ＢＴにガイド部２０を通すことが容易となる。そのため、ウォータキイホールＨＷ等の開口部が設けられている場合においても、曲管ＢＴの清掃をより容易に行うことができる。
【００２３】
Ｃ．変形例：
本発明は上記実施形態に限られるものではなく、その要旨を逸脱しない範囲において種々の態様において実施することが可能であり、例えば、次のような変形も可能である。
【００２４】
Ｃ１．変形例１：
上記実施形態では、ブラシ部１０に３つのブラシ毛部１１，１２を設けているが、ブラシ部には、１以上の任意の数のブラシ毛部を設けるものとしても良い。なお、ブラシ部に１つのブラシ毛部を設ける場合には、中間軸１３は省略される。但し、一般的にブラシ毛部はブラシ材が植え付けられているため、ブラシ軸よりも曲げることが困難である。そのため、屈曲部において曲管内部の全体にブラシ毛部を適切に接触させることが困難となり、屈曲部の汚れが十分に除去できない虞が生じる。従って、ブラシ部自体を曲がりやすくし、屈曲部において曲管内部の全体にブラシ毛部を適切に接触させることがより容易となるように、ブラシ部には複数のブラシ毛部を分離して設けるのが好ましい。また、ブラシ部に複数のブラシ毛部を分離して設けることにより、ブラシ毛部の全長を長くすることができるので、より効率的に曲管の清掃を行うことが可能となる。
【００２５】
Ｃ２．変形例２：
上記実施形態では、ガイドワイヤ２１の先端側にガイドチップ２２を取り付けているが、ガイドチップ２２を省略することも可能である。但し、図２および図３に示すように曲管ＢＴにウォータキイホールＨＷ等の開口部が形成されている場合には、当該開口部にガイドワイヤの先端が引っかかり、ガイドワイヤを通すことが難しくなる可能性がある。そのため、両端に設けられたガイドワイヤの少なくとも一方の先端部に、ガイドチップを取り付けるのが好ましい。また、使用者において曲管清掃用具の向きについての注意を要せず、取り扱いがより容易となる点で、上記実施形態のように、両端に設けられたガイドワイヤ２１の双方に、ガイドチップ２２を取り付けるのがより好ましい。
【００２６】
Ｃ３．変形例３：
上記実施形態では、ブラシ部１０の端部軸１４の両端に、同一構成のガイドワイヤ２１を取り付けているが、ブラシ部の一方の端部軸（第１の端部軸）にブラシ軸よりも曲げ剛性の低いガイドワイヤを取り付け、他方の端部軸（第２の端部軸）に取り付けられるガイドワイヤとして端部軸を延長したものを用いることも可能である。この場合、第２の端部軸側において、端部軸とガイドワイヤとを接合する接合部を省略することができるので、曲管清掃用具の製造がより容易となる。また、第２の端部軸に、曲管内に挿入した際に腰折れする可能性が生じる程度に曲げ剛性が低い（弾性を有しない）ガイドワイヤを取り付けるものとしても良い。これらの場合においても、第１の端部軸に取り付けられたガイドワイヤを曲管に挿入することにより、ブラシ毛部を曲管内に容易に導入し、曲管内においてブラシ毛部を往復動させて曲管を清掃することができる。但し、使用者において曲管清掃用具の向きについての注意を要せず、取り扱いがより容易となる点で、上記実施形態のように、ブラシ部１０の端部軸１４の両端に、同一構成のガイドワイヤ２１を取り付けるのが好ましい。
【００２７】
Ｃ４．変形例４：
上記実施形態では、接合部３０のスリーブ３１内においてブラシ部１０の端部軸１４のブラシ芯１４ａと、ガイドワイヤ２１とを突き合わせ、スリーブ３１をかしめることにより端部軸１４とガイドワイヤ２１とを接合しているが、他の方法により端部軸１４とガイドワイヤ２１とを接合することも可能である。例えば、スリーブ内において、ブラシ部１０の端部軸１４あるいはブラシ芯１４ａと、ガイドワイヤ２１とを重ね合わせ、スリーブをかしめることにより、端部軸１４とガイドワイヤ２１とを接合するものとしても良い。但し、この場合、接合部の外径が大きくなり、曲管ＢＴにウォータキイホールＨＷ等の開口部が形成されている場合には、当該開口部に接合部が引っかかり、曲管に曲管清掃用具を通すことが難しくなる可能性がある。また、ブラシ部１０の端部軸１４あるいはブラシ芯１４ａと、ガイドワイヤ２１とを接着あるいは融着し、端部軸１４とガイドワイヤ２１とを接合することも可能である。但し、この場合、端部軸１４とガイドワイヤ２１との接合強度が低下し、ガイドワイヤを引き出した際等に端部軸とガイドワイヤとが分離する可能性がある。従って、上記実施形態に示したように、端部軸１４とガイドワイヤ２１との接合は、スリーブ３１内においてブラシ部１０の端部軸１４のブラシ芯１４ａと、ガイドワイヤ２１とを突き合わせ、スリーブ３１をかしめることにより行うのが好ましい。
【００２８】
Ｃ５．変形例５：
上記実施形態では、捻りブラシと同様の方法によりブラシ部１０を形成しているが、他の方法によりブラシ部を形成することも可能である。例えば、ブラシ部として、樹脂等からなるブラシ軸にブラシ材を植え込んだものや、熱可塑性樹脂を射出成形してブラシ軸とブラシ毛部とを一体に形成したものを用いることも可能である。但し、ブラシ部の製造がより容易である点で、ブラシ部は、捻りブラシと同様の方法で形成するのが好ましい。なお、ブラシ軸にブラシ材を植え込む場合、あるいは、ブラシ軸とブラシ毛部とを一体に形成した場合、ブラシ軸は、ブラシ材の太さよりも十分に太くする必要があり、ブラシ軸の曲げ剛性は高くなる。そのため、これらの場合においても、ガイドワイヤの曲げ剛性は、ブラシ軸の曲げ剛性よりも低く設定される。
【００２９】
Ｃ６．変形例６：
上記実施形態では、本発明を金管楽器の曲管を清掃するための曲管清掃用具に適用しているが、本発明の清掃用具は、金管楽器の曲管のほか、サクソフォーンのネック等、種々の管楽器における屈曲部を有する管体一般の清掃に用いることが可能である。この場合においても、ガイドワイヤの曲げ剛性をブラシ軸の曲げ剛性よりも低くすることにより、ガイドワイヤを屈曲部に沿って曲げることができるので、管体にガイドワイヤを通し、ブラシ部を管体内部に導入することができる。
【符号の説明】
【００３０】
１…曲管清掃用具、１０…ブラシ部、１１，１２…ブラシ毛部、１３…中間軸、１３ａ，１４ａ…ブラシ芯、１３ｂ，１４ｂ…樹脂チューブ、１４…端部軸、２０…ガイド部、２１…ガイドワイヤ、２１ａ…球状部、２２…ガイドチップ、２２ａ…軸受部、２２ｂ…挿入穴、３０…接合部、３１…スリーブ、３２…樹脂カバー、ＢＴ…曲管、ＥＬ，ＥＵ…開口部、ＨＷ…ウォータキイホール、ＲＵ…屈曲部、ＴＧ…トリガ
【図１】
0006593641.tif 000002
【図２】
0006593641.tif 000003
【図３】
0006593641.tif 000004